(57)【特許請求の範囲】
【請求項１】
作成された映像・音声・その他のデータを送信する第１の送信手段と、
前記映像のデータから静止画データを生成し出力する際の出力を制御するための静止画出力制御情報を作成する作成手段と、
前記作成手段により作成された静止画出力制御情報を送信する第２の送信手段とを備え、
前記静止画出力制御情報は、前記静止画データの解像度変換のための解像度情報を含む加工情報を有しており、前記第２の送信手段により前記加工情報を送信することを特徴とする送信装置。
【請求項２】
映像・音声・その他のデータを符号化・多重化して送信信号を送信する送信装置であって、
前記映像のデータから静止画データを生成し出力する際の出力を制御するための静止画出力制御情報を外部から受信する受信手段と、
前記受信手段で受信された静止画出力制御情報を前記送信信号に多重する多重手段とを備え、
前記受信手段により受信された静止画出力制御情報は、前記静止画データの解像度変換のための解像度情報を含む加工情報を有していることを特徴とする送信装置。
【請求項３】
請求項１又は２記載の送信装置において、
前記加工情報は、静止画データへ合成する画像データ、あるいは合成する画像データを特定する合成画像情報を含むことを特徴とする送信装置。
【請求項４】
映像と音声と、静止画の出力制御を行うための静止画出力制御情報とが符号多重され変調された信号を受信する受信手段と、
前記受信手段により受信された信号を復調する復調手段と、
前記復調手段で復調された信号から所望の信号を分離する多重信号分離手段と、
前記多重信号分離手段により分離された映像・音声の信号を復号する復号手段と、
前記復号手段により復号された映像の信号から静止画データを抽出し、保持、変換あるいは出力制限を行う静止画データ出力制御手段とを備え、
前記受信手段で受信された信号に含まれる静止画出力制御情報から前記多重信号分離手段を介して前記静止画データの解像度変換のための解像度情報を含む加工情報を分離し、
前記静止画データ出力制御手段は、前記静止画データの解像度変換のための解像度情報を含む加工情報に基づいて静止画データの変換処理を行うことを特徴とする受信装置。
【請求項５】
請求項４記載の受信装置において、
静止画データへ合成する画像データ、あるいは合成する画像データを特定する合成画像情報を含むことを特徴とする受信装置。
【請求項６】
請求項４記載の受信装置において、
前記静止画データ出力制御手段は、装置外部に接続されている機器の情報を入手する接続機器情報入手手段を有し、
前記静止画出力制御情報に含まれる出力可能機器情報により許可された接続機器に静止画データ出力を制限することを特徴とする受信装置。
【請求項７】
請求項４記載の受信装置において、
前記静止画データ出力制御手段は、静止画データを出力した回数をカウントする出力回数保持手段を有し、
前記静止画出力制御情報に含まれる出力可能回数により許可された回数以内に静止画データの出力回数を制限することを特徴とする受信装置。
【請求項８】
請求項４記載の受信装置において、
前記静止画データ出力制御手段は、時間を計る時計手段を有し、
前記静止画出力制御情報に含まれる出力可能時間情報により許可された時間あるいは時間帯に映像から静止画データの抽出タイミングを制限することを特徴とする受信装置。
【請求項９】
請求項４記載の受信装置において、
前記静止画データ出力制御手段は、静止画データの出力の際の課金処理を行う課金処理制御手段を有し、前記静止画出力制御情報に含まれる課金情報に従い静止画データのデジタル出力の際に課金処理を行うことを特徴とする受信装置。
【請求項１０】
請求項４記載の受信装置において、
前記静止画データ出力制御手段で出力された静止画データに基づく静止画を記録・再生する記録・再生手段を備えることを特徴とする受信装置。
【請求項１１】
請求項４記載の受信装置において、
前記静止画データ出力制御手段で出力された静止画データに基づく静止画を印刷する印刷手段を備えることを特徴とする受信装置。
【発明の詳細な説明】
【０００１】
【発明の属する技術分野】
本発明は、デジタル放送の伝送装置、送信装置および受信装置に係り、特に受信装置において、映像データから静止画を抽出し、外部機器へ出力する装置に関する。
【０００２】
【従来の技術】
衛星によるデジタル多チャンネル放送は、現在CS(Communication Satellite)デジタル放送が行なわれている。
【０００３】
このデジタル放送の受信装置の従来例は、特開平10-178614「ディジタル放送信号の受信および記録再生装置」として出願されている。
【０００４】
このデジタル放送は、有料放送を送るために、映像等のコンテンツをスクランブルして伝送している。受信装置では、所定の処理でスクランブル鍵を得て、スクランブル解除して表示している。
【０００５】
また、受信装置は、映像等のコンテンツを外部機器に出力する事が可能であり、著作権保護のため、アナログ出力にはコピーガード信号等を付加し、デジタル出力からはまったく出さないか、あるいはコピー回数制限等の情報を付加した信号を出力している。
【０００６】
【発明が解決しようとする課題】
従来のこの種の受信装置は、出力先として映像あるいは音声の様に時間的に連続した情報の記録装置を前提とした著作権保護方法しか持っておらず、また、制御単位も最小で番組単位である。
【０００７】
そのため、より複雑な情報単位での記録あるいは再利用の際に、その用途に応じた明確な著作権保護方法が無いという問題がある。
【０００８】
また、静止画データを出力する場合、動画データとは別個に、静止画のデータを送信することも考えられるが、限られた伝送帯域では、十分な量を送ることができない。
【０００９】
本発明は、上記事情に着目してなされたもので、多様な著作権保護方法により保護された豊富な静止画データの出力を実現する放送方式ならびに受信機を提案するものである。
【００１０】
【課題を解決するための手段】
前記問題を解決するために、例えば、作成された映像・音声・その他のデータを送信する第１の送信手段と、前記映像のデータから静止画データを生成し出力する際の出力を制御するための静止画出力制御情報を作成する作成手段と、前記作成手段により作成された静止画出力制御情報を送信する第２の送信手段とを備え、前記静止画出力制御情報は、前記静止画データの解像度変換のための解像度情報を含む加工情報を有しており、前記第２の送信手段により前記加工情報を送信するように構成すればよい。
【００１５】
【発明の実施の形態】
以下、本発明の実施例を、図面を基にして説明する。
【００１６】
図1は本発明の一実施例による、送信装置および受信装置を示している。
【００１７】
図1において、コンテンツプロバイダ101は作成した映像・音声・その他のデータの放送コンテンツ110に加え、制御データ作成装置100により作成した静止画出力制御情報111を送信装置102に伝送する。送信装置102では、伝送された放送コンテンツ110及び静止画出力制御情報111を受信し、データ多重部105において、映像・音声・データ110とともに静止画出力制御情報111を多重した信号を生成し、放送・通信信号112として出力する。
【００１８】
多重化の方法は、例えば、現在CSデジタル放送で用いられている伝送方式であるMPEG2 Systemsの場合、新たなテーブルあるいは、ディスクリプタを定義して多重することが可能であり、MPEG2 Videoストリーム中のユーザデータとして、多重することも可能である。
【００１９】
また、静止画出力制御情報111を、そのままで多重化が可能な所定の形式にしておく構成も、あるいはテキスト形式などの汎用性の高い形式とし、データ多重部105において多重化用の形式に変換する構成も可能である。
【００２０】
放送・通信信号112は、衛星や通信回線を介して伝送され、受信装置103において受信される。
【００２１】
受信装置103はTV等の表示装置104に出力する映像・音声信号113の出力に加え、静止画出力制御部106に制御され印刷装置107あるいは記録装置108等の外部機器への静止画データ115の出力および、出力先の機器情報114の入力手段を備える。なお、これら入出力に用いる端子は、一つにまとめる構成も、分離しておく構成も可能であり、さらに、受信装置103と表示装置104、印刷装置107、記憶装置108等の機器を一体化する構成も可能である。
【００２２】
また、静止画出力制御部106は、課金情報を例えば電話回線等の通信回線を用いて課金情報収集装置109と通信を確立し課金の清算処理を行う。課金情報収集装置109はコンテンツプロバイダ101に課金情報を提供する。
【００２３】
なお、課金情報をICカードのような受信装置から分離可能なモジュールに出力し、清算用の端末を各地に設け、ユーザが課金情報を記録したモジュールを持ち込んで清算処理を行う構成も可能である。
【００２４】
図2は本発明の送信信号におけるデータ構成の一実施例である。
【００２５】
図2のデータは、例えばMPEG2 Videoストリームとして送信され、ヘッダ情報201、静止画出力制御情報202、映像データ203を含み、MPEG2-TS等の形式で多重され、図1における放送・通信信号112として送信される。
【００２６】
静止画出力制御情報202は、例えばMPEG2 Videoストリーム中のユーザデータ領域に挿入するために、図1における制御データ作成装置100により作成された静止画出力制御情報111の情報を所定の形式で記述したデータであり、出力可能機器情報204、出力回数情報205、映像から静止画を抽出する時間を指示する抽出時間情報206、抽出した静止画の加工法を指示する加工情報207、出力方法に従い課金処理を指示する課金情報208を含んでいる。なお、出力可能機器情報204は、出力機器の解像度、出力色数、記憶容量等の性能情報や出力機器の認証を行うための出力機器認証情報を含むものであり、加工情報207は、解像度変換での解像度あるいは色変換方法あるいは非可逆圧縮方法ならびに圧縮後のデータサイズ等の静止画変換品質情報や静止画データへ合成する画像データあるいは合成する画像データを特定する合成画像情報を含むものである。これらの情報を用いることにより、映像情報の単位としては小さい静止画について、映像データ提供者はユーザーの受信装置での操作を制限して、著作権を保護することができる。
【００２７】
図3は図1における受信装置103の一実施例による構成図である。
【００２８】
図3の受信装置103において、信号入力端子301から入力される映像・音声・データ等が符号化・多重化され変調された放送・通信の信号を受信部302で受信・復調し、多重分離部303において所定の信号を分離し、多重分離部で分離された映像・音声・データ等を復号部304において復号し、出力部305において出力端子306に繋ぐCRT等への出力信号に変換する。
【００２９】
受信した信号に含まれる静止画出力制御情報は多重分離部303において分離され静止画出力制御部106内の制御情報解析部307に渡される。
【００３０】
また、外部機器IF部310を介して出力先の機器情報を入手し外部機器判定部312により出力可能かどうかを判定する。具体的には、出力先の機器情報である解像度、出力色数、記憶容量等の性能情報あるいは認証情報などと静止画出力制御情報に含まれる出力可能な機器の性能情報あるいは認証情報を比較することによって判定する。
【００３１】
なお、外部機器IF部310は、例えば接続機器認証、データ暗号化、および出力可能機器への複合キーの出力などにより、不正利用防止機能を持たせる構成も考えられ、また、データ端子311は、無線・有線を問わない。
【００３２】
ユーザから静止画出力の指示を受けた際には静止画出力制御情報202に従い、出力先の機器に対して許可する出力方法あるいはユーザに推奨する出力方法を提示する。
【００３３】
ユーザに許可あるいは推奨する出力方法の内容は、例えば、静止画出力制御情報202に含まれる出力回数情報205、静止画を抽出するタイミングを示す抽出時間情報206、出力静止画の加工方法を示す加工情報207、ならびに、これら出力方法の選択肢に対応する課金情報208である。
【００３４】
ユーザが出力方法の選択肢から１つを選択すると、タイマ314から得られる時間情報を参照し、ユーザにより指示されたタイミングで、復号部304において復号された映像データから静止画生成部308において静止画を生成し、画像加工部309においてユーザにより指示された方法で静止画データを加工し、外部機器IF部310を介してデータ入出力端子311に出力するとともに、カウンタ313において、静止画データの出力回数をカウントする。
【００３５】
また、課金処理部315においてユーザが選択した出力方法に従った課金情報が記録される。
【００３６】
課金方法は静止画出力制御情報202の中で画像の出力方式に対応づけられているため、ユーザに提示する選択肢ごとに設定する料金を、例えば600 dpiで2回まで番組の20分〜30分の間は20円/枚、1200 dpiで2回以上番組の30分〜40分は100円/枚、等の細かい指定が可能となる。
【００３７】
また、一定期間あるいは課金処理部に保持されている購入金額が一定額に達した場合、通信IF部316は通信端子317につながる電話回線などを介して、カスタマーセンター等に設けられる課金情報収集装置109と通信を確立し、清算処理を行う。
【００３８】
図4は図3における画像加工部の一実施例による構成図である。
【００３９】
図4において、静止画生成部308により得られた静止画データを変換する方法を、変換方法切り替えスイッチ406において切り替える。
【００４０】
画像合成部402は、ロゴ作成部401において作成される合成用画像と静止画生成部308で得た静止画とを合成する。ロゴ作成部401において作成される合成用画像は、制御情報解析部307において解析した静止画出力制御情報に含まれる画像データ、或いは、画像を特定するデータをもとに作成される。
【００４１】
色変換部403は、静止画生成部308で得た静止画を、減色あるいは、グレースケール化あるいは白黒2値化した画像データに変換する。
【００４２】
解像度変換部404は、静止画生成部308で得た静止画データの解像度を低下させた、画像データに変換する。
【００４３】
また、画像合成部402、色変換部403、解像度変換部404等の変換部を通さないことも可能である。
【００４４】
データ圧縮切り替えスイッチ407においては、圧縮の有無を切り替え、データ圧縮部405は、ユーザの選択した出力データのサイズに従い、非可逆な画像圧縮処理を施したデータを生成する。
【００４５】
以上の静止画データの変換は、静止画出力制御情報に含まれる加工方法指示情報すなわち解像度、色変換方法、圧縮方法および圧縮後のデータサイズ等の画像変換品質情報や合成画像データあるいは合成画像を特定する情報に従って行われる。
【００４６】
図5は本発明における処理の一実施例であり、ユーザに選択肢を提示せず、静止画出力制御情報の制限に自動的に合わせる場合の処理例である。
【００４７】
ユーザから出力の指示を受けて、処理を開始する(ステップ501)と、静止画生成部308により、復号部304でのデータを元に静止画を生成する(ステップ502)。
【００４８】
次に制御情報解析部307において解析した情報に静止画出力の制限があるか判定する(ステップ503)。静止画出力に制限があった場合は外部機器IF部310を介して出力先の機器情報を入手し(ステップ504)、出力先の機器の解像度が静止画出力制御情報中の出力解像度の上限を超えていないか判定する(ステップ505)。
【００４９】
出力先の機器の解像度が上限を超えている場合は解像度の変換処理(ステップ506)を行ってから、出力し(ステップ507)、終了する(ステップ508)。
【００５０】
【発明の効果】
以上説明したように、本発明によれば、コンテンツ提供者及び利用者の双方にとって利便性の高い受信機を提供することが可能となる。
【図面の簡単な説明】
【図１】本発明の一実施例の構成図である。
【図２】本発明の送信信号におけるデータ構成の一実施例である。
【図３】図1中の受信装置の一実施例による構成図である。
【図４】図3中の画像加工部の一実施例による構成図である。
【図５】本発明の一実施例によるフローチャートである。
【符号の説明】
１００…制御データ作成装置、１０１…コンテンツプロバイダ、１０２…送信装置、１０３…受信装置、１０４…表示装置、１０５…データ多重部、１０６…静止画出力制御部、１０７…印刷装置、１０８…記録装置、１０９…課金情報収集装置、１１０…映像・音声・データコンテンツ、１１１…静止画出力制御情報、１１２…放送・通信信号、１１３…映像・音声信号、１１４…機器情報、１１５…静止画データ、１１６…通信信号、１１７…課金情報、２０１…ヘッダ情報、２０２…静止画出力制御情報、２０３…映像データ、２０４…出力可能機器情報、２０５…出力回数情報、２０６…抽出時間情報、２０７…加工情報、２０８…課金情報、３０１…受信端子、３０２…受信部、３０３…多重分離部、３０４…複合部、３０５…出力部、３０６…出力端子、３０７…制御情報解析部、３０８…静止画生成部、３０９…画像加工部、３１０…外部機器IF部、３１１…データ入出力端子、３１２…外部機器判定部、３１３…カウンタ、３１４…タイマ、３１５…課金処理部、３１６…通信IF部、３１７…通信端子、３０１…解像度変換部、４０１…ロゴ生成部、４０２…画像合成部、４０３…色変換部、４０４…解像度変換部、４０５…データ圧縮部、４０６…変換方法切り替えスイッチ、４０７…データ圧縮切り替えスイッチ、５０２…静止画データ生成処理、５０３…静止画出力制限有無判定処理、５０４…外部機器情報取得処理、５０５…解像度制限判定処理、５０６…解像度低下処理、５０７…静止画データ出力処理。
【図１】
0003775168.tif 000002
【図２】
0003775168.tif 000003
【図３】
0003775168.tif 000004
【図４】
0003775168.tif 000005
【図５】
0003775168.tif 000006